(57)【要約】【課題】位置決め精度の向上を図ることが可能な光学レンズフィルムおよび当該光学レンズフィルムを用いた表示装置を提供する。【解決手段】光学レンズフィルム１は、主表面を有するベース体７と、複数の光学素子構造としての凸部２と、アライメントマーク部８とを備える。凸部２は、ベース体７の主表面に形成された、光の進行方向を変更する要素である。アライメントマーク部８は、ベース体７の主表面に形成されている。アライメントマーク部８は、複数の凸部２の幅Ｐ０より狭い幅Ｐ１を有する複数のアライメント用凸部９を含む。【選択図】図３
2011186063.tif 000002
【特許請求の範囲】
【請求項１】
主表面を有するベース体と、
前記ベース体の前記主表面に形成された、光の進行方向を変更する複数の光学素子構造と、
前記ベース体の前記主表面に形成された、アライメントマーク部とを備え、
前記アライメントマーク部は、前記複数の光学素子構造の幅より狭い幅を有する複数のアライメント用構造部を含む、光学レンズフィルム。
【請求項２】
前記アライメント用構造部の幅は、前記光学素子構造の幅の０．１倍以上０．９倍以下である、請求項１に記載の光学レンズフィルム。
【請求項３】
前記複数の光学素子構造は、平行して線状に延びる複数の凸部であって、前記凸部の延びる方向に対して垂直な方向における前記凸部の断面形状は半円状であり、
前記複数のアライメント用構造部は、前記複数の凸部と平行して線状に延びる複数のアライメント用凸部である、請求項１または２に記載の光学レンズフィルム。
【請求項４】
前記アライメント用構造部では、前記複数のアライメント用凸部の間の境界部または前記アライメント用凸部と前記凸部との境界部が、前記複数の凸部と平行して線状に延びている、請求項３に記載の光学レンズフィルム。
【請求項５】
表示面を有する表示ユニットと、
前記表示ユニットの前記表示面と重なるように前記表示ユニットと積層された、請求項１に記載の光学レンズフィルムとを備える、表示装置。
【請求項６】
前記光学レンズフィルムにおいて、
前記複数の光学素子構造は、平行して線状に延びる複数の凸部であって、前記凸部の延びる方向に対して垂直な方向における前記凸部の断面形状は半円状であり、
前記複数のアライメント用構造部は、前記複数の凸部と平行して線状に延びる複数のアライメント用凸部であり、
前記表示ユニットは、前記光学レンズフィルムと対向する部分に形成された表示ユニット側アライメントマークを含み、
前記表示ユニットと前記光学レンズフィルムとは、前記表示ユニット側アライメントマークと、前記複数のアライメント用凸部の間の境界部および前記アライメント用凸部と前記凸部との境界部のいずれかが重なるように位置決めされている、請求項５に記載の表示装置。
【発明の詳細な説明】
【技術分野】
【０００１】
この発明は、光学レンズフィルムおよび表示装置に関し、より特定的には、アライメントマーク部を備える光学レンズフィルムおよび当該光学フィルムレンズを用いた表示装置に関する。
【背景技術】
【０００２】
従来、光学レンズフィルムおよび当該光学レンズフィルムを用いた表示装置が知られている（たとえば、特開２００４−２８００８７号公報（以下、特許文献１と呼ぶ）参照）。
【０００３】
特許文献１では、光学レンズフィルムとしてのレンチキュラレンズを備えた表示装置が開示されている。特許文献１に開示された表示装置では、レンチキュラレンズにアライメントマーク部が形成され、また、表示ユニットである液晶表示装置において上記レンチキュラレンズに対向する透明基板にも表示ユニット側アライメントマークが形成されている。そして、上記アライメントマーク部と表示ユニット側アライメントマークとを用いて、液晶表示装置に対してレンチキュラレンズが位置決めされている。レンチキュラレンズのアライメントマーク部は平面形状が十字状の突起部であり、透明基板の表示ユニット側アライメントマークは平面形状が四角形状であって、上記アライメントマーク部の形状に対応する部分が除去された突起部となっている。
【先行技術文献】
【特許文献】
【０００４】
【特許文献１】特開２００４−２８００８７号公報
【発明の概要】
【発明が解決しようとする課題】
【０００５】
しかし、上述した従来の表示装置では、以下のような問題があった。すなわち、特許文献１のレンチキュラレンズでは、レンズ構造部の形状とはアライメントマーク部の形状が全く異なるため、レンズ構造部とは異なる製造方法を用いて当該アライメントマーク部を形成する場合があった。このとき、アライメントマークの形状精度を十分に向上させることが難しい場合があった。この場合、アライメントマーク部を用いた位置決め精度の向上が不十分になることがあった。
【０００６】
この発明は、上記のような課題を解決するためになされたものであり、この発明の目的は、位置決め精度の向上を図ることが可能な光学レンズフィルムおよび当該光学レンズフィルムを用いた表示装置を提供することである。
【課題を解決するための手段】
【０００７】
この発明に従った光学レンズフィルムは、主表面を有するベース体と、複数の光学素子構造と、アライメントマーク部とを備える。光学素子構造は、ベース体の主表面に形成された、光の進行方向を変更する要素である。アライメントマーク部は、光学素子構造と同じくベース体の主表面に形成されている。さらにアライメントマーク部は、複数の光学素子構造の幅より狭い幅を有する複数のアライメント用構造部を含む。
【０００８】
このようにすれば、光学素子構造と同じくベース体の主表面に形成されたアライメントマーク部が、光学素子構造の幅より狭い幅を有する複数のアライメント用構造部を含んでいるので、これらの複数のアライメント用構造部を用いることで、光学素子構造やアライメントマーク部全体のサイズよりさらに小さいサイズ（アライメント用構造部のサイズ）レベルで位置決めを行なうことができる。この結果、位置決め精度を向上させることが可能な光学レンズフィルムを実現できる。
【０００９】
上記光学レンズフィルムにおいて、アライメント用構造部の幅は、光学素子構造の幅の０．１倍以上０．９倍以下であってもよい。ただし、上記アライメント用構造部の幅は、光学素子構造の０．９倍を超える範囲としてもよい。このように、アライメント用構造部の幅（サイズ）を適宜選択することで、光学レンズフィルムの位置決め精度に応じたサイズのアライメント用構造を実現できる。
【００１０】
上記光学レンズフィルムにおいて、複数の光学素子構造は、平行して線状に延びる複数の凸部であって、凸部の延びる方向に対して垂直な方向における当該凸部の断面形状は半円状であってもよい。また、複数のアライメント用構造部は、複数の凸部と平行して線状に延びる複数のアライメント用凸部であってもよい。
【００１１】
この場合、いわゆるレンチキュラレンズにおいて本発明を適用することができる。また、アライメント用構造部が、光学素子構造の凸部と平行して線状に延びるアライメント用凸部であるため、当該光学レンズフィルムを形成するときに、当該凸部とアライメント用凸部とを同時に形成することができる。たとえば、光学レンズフィルムを型成形するような場合、当該型に光学素子構造の凸部を成形するための形状を作りこむときに、同時にアライメント用凸部を成形するための形状を当該型に形成することができる。そして、当該型を用いて樹脂などを型成形することで、本発明による光学レンズフィルムを得ることができる。
【００１２】
上記光学レンズフィルムにおいて、前記アライメント用凸部の延びる方向に対して垂直な方向における前記アライメント用凸部の断面形状は半円状であってもよい。この場合、アライメント用凸部と光学素子構造の凸部とが、それぞれ類似した断面形状を有することになる。そのため、たとえば上記のように光学レンズフィルムを型成形により製造するときに、当該型成形で用いる型にアライメント用凸部に対応する形状を作りこむために用いる切削具として、光学素子構造の凸部に対応する形状を作りこむために用いる切削具と同じ種類の刃先形状の切削具を用いることができる。また、切削具の切り込み量を上記凸部とアライメント用凸部とで変更すれば（つまり、凸部とアライメント用凸部との高さを変更するようにすれば）アライメント用凸部と上記凸部とで同じ切削具を用いることも可能になる。このため、光学レンズフィルムの製造工程を簡略化できる。
【００１３】
上記光学レンズフィルムにおいて、前記アライメント用凸部の延びる方向に対して垂直な方向における前記アライメント用凸部の断面形状は三角形状であってもよい。この場合、アライメントマーク部では、複数のアライメント用凸部の間の境界部（境界線）に加えて、個々のアライメント用凸部も上記三角形状の頂点に対応する位置に、線状に連なる角部が形成される。このため、上記境界部に加えて当該角部も位置決めのときの基準として用いることができる。このため、より高い位置精度での光学レンズフィルムの位置決めが可能になる。
【００１４】
上記光学レンズフィルムにおいて、アライメント用構造部では、複数のアライメント用凸部の間の境界部またはアライメント用凸部と凸部との境界部が、複数の凸部と平行して線状に延びていてもよい。この場合、複数の凸部の延びる方向に対して垂直な方向における位置決め用のマークとして、上記境界部を利用することができる。
【００１５】
この発明に従った表示装置は、表示面を有する表示ユニットと、上記光学レンズフィルムとを備える。光学レンズフィルムは、表示ユニットの表示面と重なるように表示ユニットと積層されている。このようにすれば、表示ユニットに対して高い精度で位置決めされた光学レンズフィルムを備える表示装置を実現できる。このため、当該光学レンズフィルムによる視覚効果を確実に得ることができるので、表示品質の優れた表示装置を実現できる。
【００１６】
上記表示装置では、光学レンズフィルムにおいて、複数の光学素子構造が、平行して線状に延びる複数の凸部であってもよい。当該凸部の延びる方向に対して垂直な方向における凸部の断面形状は半円状であってもよい。複数のアライメント用構造部は、複数の凸部と平行して線状に延びる複数のアライメント用凸部であってもよい。表示ユニットは、光学レンズフィルムと対向する部分に形成された表示ユニット側アライメントマークを含んでいてもよい。表示ユニットと光学レンズフィルムとは、表示ユニット側アライメントマークと、複数のアライメント用凸部の間の境界部およびアライメント用凸部と凸部との境界部のいずれかが重なるように位置決めされていてもよい。この場合、アライメントマーク部よりサイズの小さい上記境界部を用いて光学レンズフィルムの表示ユニットに対する位置決めを行なっているので、光学レンズフィルムを高い精度で位置決めすることができる。このため、当該光学レンズフィルムによる視覚効果を確実に得ることができるので、表示品質の優れた表示装置を確実に実現できる。
【発明の効果】
【００１７】
この発明によれば、位置決め精度の向上を図ることが可能な光学レンズフィルムおよび当該光学レンズフィルムを用いた表示装置を得ることができる。
【図面の簡単な説明】
【００１８】
【図１】本発明に従った光学レンズフィルムの実施の形態を示す平面模式図である。
【図２】図１に示した光学レンズフィルムの部分斜視模式図である。
【図３】図１の線分ＩＩＩ−ＩＩＩにおける断面模式図である。
【図４】図１〜図３に示した光学レンズフィルムの製造方法を説明するためのフローチャートである。
【図５】図４に示したフローチャートにおける型を作成する工程を説明するためのフローチャートである。
【図６】図１〜図３に示した光学レンズフィルムを用いた表示装置の製造方法を説明するための模式図である。
【図７】図１〜図３に示した光学レンズフィルムを用いた表示装置の製造方法を説明するための拡大模式図である。
【図８】本発明による光学レンズフィルムを適用した表示装置としての液晶表示装置を示す断面模式図である。
【図９】本発明による光学レンズフィルムを適用した表示装置の他の例としての液晶表示装置を示す断面模式図である。
【図１０】図１〜図３に示した光学レンズフィルムの変形例を説明するための断面模式図である。
【発明を実施するための形態】
【００１９】
以下、本発明の実施の形態を図面に基づいて説明する。なお、以下の図面において同一または相当する部分には同一の参照符号を付し、その説明は繰返さない。
【００２０】
図１〜図３を参照して、本発明に従った光学レンズフィルムの実施の形態を説明する。
図１〜図３に示した光学レンズフィルム１は、主表面を有するベース体７と、複数の光学素子構造としての凸部２と、アライメントマーク部８とを備える。凸部２は、ベース体７の主表面に形成された、光の進行方向を変更する光学要素であって、断面が半円状のレンズである。また、複数の凸部２は互いに平行であって線状に延びるように配置されている。アライメントマーク部８は、ベース体７の主表面において、凸部２の延在方向に対して垂直な方向における光学レンズフィルム１の端部近傍にそれぞれ１つ（合計２つ）形成されている。アライメントマーク部８は、光学レンズフィルム１の端部から距離Ｌの位置に（つまり、光学レンズフィルム１の端部とアライメントマーク部８の外周端との間の距離が上記距離Ｌとなる位置に）形成される。当該距離Ｌは、たとえば１ｍｍ以下とすることができる。
【００２１】
また、図１では光学レンズフィルム１の端部とアライメントマーク部８の間の領域にも光学素子構造としての凸部２が形成されているが、当該領域には凸部２を形成しない構成（つまり、当該領域の表面が平坦な構成）としてもよい。また、図１ではアライメントマーク部８を２つ形成しているが、３つ以上形成してもよい。
【００２２】
アライメントマーク部８は、複数の凸部２の幅Ｐ０（図３参照）より狭い幅Ｐ１（図３参照）を有する複数のアライメント用構造部であるアライメント用凸部９を含む。図１〜図３に示した光学レンズフィルム１では、３つのアライメント用凸部９によりアライメントマーク部８が構成されている。アライメント用凸部９は、凸部２の延在方向に沿って延びるように形成されている。また、上記凸部２の延在方向に垂直な方向におけるアライメント用凸部９の断面形状は半円状である。なお、アライメントマーク部８に含まれるアライメント用凸部９の数は、２つであっても、また４つ以上であってもよい。さらに、図１に示したように、２つのアライメントマーク部８は、同じ構成であってもよいが、互いに異なる構成を有してもよい。たとえば、２つのアライメントマーク部８のそれぞれに含まれるアライメント用凸部９の数やサイズが異なるようにしてもよい。
【００２３】
このようにすれば、光学素子構造である凸部２の幅Ｐ０より狭い幅Ｐ１を有する複数のアライメント用凸部９をアライメントマーク部８が含んでいるので、これらの複数のアライメント用凸部９を用いることで、凸部２やアライメントマーク部８全体のサイズよりさらに小さいサイズ（アライメント用凸部９のサイズ）レベルで光学レンズフィルム１の位置決めを行なうことができる。この結果、位置決め精度を向上させることが可能な光学レンズフィルム１を実現できる。
【００２４】
また、上記光学レンズフィルム１において、アライメント用凸部９の幅Ｐ１は、凸部２の幅Ｐ０の０．１倍以上０．９倍以下であってもよい。ただし、上記アライメント用凸部９の幅Ｐ１は、凸部２の幅Ｐ０の０．９倍を超える範囲としてもよい。このように、アライメント用凸部９の幅Ｐ１（サイズ）を適宜選択することで、光学レンズフィルム１の位置決め精度に応じたサイズのアライメントマーク部８を実現できる。
【００２５】
また、図２や図３に示すように、上記光学レンズフィルム１において、複数の凸部２は平行して線状に延び、凸部２の延びる方向に対して垂直な方向における当該凸部２の断面形状は半円状である。また、複数のアライメント用凸部９は、図１や図２に示すように、複数の凸部２と平行して線状に延びている。この場合、いわゆるレンチキュラレンズである光学レンズフィルム１に本発明を容易に適用できる。また、アライメント用凸部９が、光学素子構造としての凸部２と平行して線状に延びるため、後述するように当該光学レンズフィルム１を形成するときに、当該凸部２とアライメント用凸部９とを同時に形成することができる。たとえば、光学レンズフィルム１を型成形する場合、当該型に凸部２を成形するための形状を作りこむときに、同時にアライメント用凸部９を成形するための形状を当該型に形成することができる。そして、当該型を用いて樹脂などを型成形することで、図１〜図３に示した光学レンズフィルム１を得ることができる。
【００２６】
また、上記光学レンズフィルム１において、図３に示すように、アライメント用凸部９の延びる方向に対して垂直な方向におけるアライメント用凸部９の断面形状は半円状である。この場合、アライメント用凸部９と光学素子構造としての凸部２とが、それぞれ類似した断面形状を有することになる。そのため、たとえば上記のように光学レンズフィルム１を型成形により製造するときに、当該型成形で用いる型においてアライメント用凸部９に対応する形状を作りこむために用いる切削具として、光学素子構造の凸部２に対応する形状を作りこむために用いる切削具と同じ刃先形状の切削具を用いることができる。また、切削具の切り込み量を上記凸部２とアライメント用凸部９とで変更すれば（つまり、凸部２とアライメント用凸部９との高さを変更するようにすれば）アライメント用凸部９と上記凸部２とのそれぞれに対応する形状を形成するために同じ切削具を用いることも可能になる。このため、光学レンズフィルム１の製造工程を簡略化できる。
【００２７】
また、上記光学レンズフィルム１において、アライメントマーク部８では、図１や図２に示すように、複数のアライメント用凸部９の間の境界部またはアライメント用凸部９と凸部２との境界部が、複数の凸部２と平行して線状に延びている。この場合、複数の凸部２の延びる方向に対して垂直な方向（図１の左右方向）における位置決め用のマークとして、上記境界部を利用することができる。
【００２８】
次に、図４および図５を参照して、図１〜図３に示した光学レンズフィルム１の製造方法を説明する。なお、光学レンズフィルム１は金型を用いたモールドにより製造する。
【００２９】
まず、図４に示すように型を作成する工程（Ｓ１０）を実施する。具体的には、光学レンズフィルム１の表面形状に対応する形状を有する金型を作成する。金型の加工方法としては、切削具による切削や放電加工など、任意の方法を用いることができる。また、当該工程（Ｓ１０）では、図５に示すように、凸部を成形する部分を加工する工程（Ｓ１１）を実施する。さらに、工程（Ｓ１０）では、図５に示したアライメントマーク部を成形する部分を加工する工程（Ｓ１２）を実施する。なお、凸部を成形する部分を加工する工程（Ｓ１１）およびアライメントマーク部を成形する部分を加工する工程（Ｓ１２）は同時に実施してもよいし、順次実施してもよい。
【００３０】
次に、工程（Ｓ１０）で準備された金型を利用してモールド法により光学レンズフィルム１を成形する工程である、型を用いて光学レンズフィルムを成形する工程（Ｓ２０）を実施する。具体的には、上記金型と対向定盤との間に、光学レンズフィルム１を構成する樹脂製薄膜をセットする。その状態で、樹脂製薄膜を加熱する。その後、加熱した樹脂製薄膜を金型と対向定盤とで挟みこむように押圧することにより、モールドを行なう。放冷後、脱型すると、図１などに示す光学レンズフィルム１が得られる。
【００３１】
なお、樹脂製薄膜の加熱は、たとえば、樹脂製薄膜を金型と対向定盤との間に挟んでから加熱する方式、または樹脂製薄膜のみを予め非接触の状態で加熱する方式などを任意に採用することができる。樹脂製薄膜の加熱は、金型や対向定盤の直下に設置したヒータなどにより行なうことができるが、金型や対向定盤の内部に加熱機能を導入（金型や対向定盤の内部にヒータなどを設置）し、当該加熱機能を利用して行なうこともできる。
【００３２】
樹脂製薄膜の加熱では、樹脂の流動開始温度以上に加熱する態様が好ましい。このように樹脂製薄膜を流動開始温度以上に加熱してから、金型と対向定盤とで当該樹脂製薄膜を押圧する加圧加工を実施することにより、樹脂の流動現象を利用して、金型の表面に形成された凹部の形状を樹脂製薄膜の表面に転写することができる。このようにして、本発明による光学レンズフィルム１を製造することができる。
【００３３】
なお、光学レンズフィルム１を構成する樹脂は、比較的狭い温度範囲で溶融し、冷却すると急速に硬化する樹脂を用いれば、スループットが高くなるため好ましい。したがって、ポリカーボネート、ポリイミド、ポリメタクリル酸メチル、ポリエーテルサルフォン、ポリサルフォン、ポリエーテルイミドなどが好適である。樹脂製薄膜の厚さは特に限定されるものではないが、厚さ２０μｍ以上が好ましく、厚さ１００μｍ以上がより好ましい。また、光学レンズフィルム１の凸部２の幅Ｐ０の値はたとえば５０μｍ以上１０００μｍ以下、より好ましくは１００μｍ以上５００μｍ以下とすることができる。また、凸部２の表面に関する図３に示した断面における曲率半径はたとえば１００μｍ以上１０００μｍ以下、より好ましくは２００μｍ以上６００μｍ以下とすることができる。また、アライメント用凸部９と凸部２との幅比（Ｐ１／Ｐ０）の値はたとえば０．１以上０．９以下、より好ましくは０．１以上０．５以下とすることができる。また、アライメント用凸部９の表面に関する図３に示した断面における曲率半径はたとえば１００μｍ以上１０００μｍ以下、より好ましくは２００μｍ以上６００μｍ以下とすることができる。
【００３４】
次に、上記のようにして得られた光学レンズフィルム１を用いて、表示装置を製造する場合の、当該表示装置を構成する他の部材と光学レンズフィルム１とのアライメント（位置合せ）の方法について、図６および図７を参照して簡単に説明する。
【００３５】
図６および図７に示すように、光学レンズフィルム１と積層する対象である他の部材として表示ユニット２０を用いる場合、当該表示ユニット２０の表面（光学レンズフィルム１と対向する表面）には、表示ユニット側アライメントマーク３２が形成されている。表示ユニット側アライメントマーク３２の形状は任意の形状を採用することができるが、たとえば図６に示すように平面形状を十字状とすることができる。表示ユニット側アライメントマーク３２の構成としては、たとえば表示ユニット２０の表面の他の部分と異なる色彩を有する樹脂層など任意の構成を採用できる。図６に示した表示ユニット２０では、その表面に４箇所の表示ユニット側アライメントマーク３２が形成されている。
【００３６】
そして、光学レンズフィルム１のアライメントマーク部８を構成するアライメント用凸部９の間の境界部３１と、表示ユニット２０の表面に形成された表示ユニット側アライメントマーク３２の端部とが平面視において重なるように、表示ユニット２０と光学レンズフィルム１との相対的な位置を調整する。このようにすれば、光学レンズフィルム１の凸部２が延在する方向と垂直な方向において、表示ユニット２０に対する光学レンズフィルム１の位置を精度よく決定することができる。なお、図７ではアライメント用凸部９の間の境界部３１を位置合せの基準として用いたが、隣接する凸部２とアライメント用凸部９との間の境界部を当該基準として用いてもよい。
【００３７】
このように表示ユニット２０に対する光学レンズフィルム１の位置を決定した後、表示ユニット２０の表面に光学レンズフィルム１を固定する。光学レンズフィルム１の固定方法としては、任意の方法を用いることができる。たとえば、光学レンズフィルム１の裏面側（表示ユニット２０と対向する表面側）に両面テープなどの接着部材を配置しておいてもよい。このようにして、本発明による表示装置を構成することができる。
【００３８】
なお、表示ユニット２０としては、画像などを表示可能な装置であれば任意の装置を適用できる。たとえば、液晶表示ユニットやプラズマ表示ユニット、ＬＥＤ、有機ＥＬ素子などの発光素子を用いた表示ユニットなど、任意の構成の装置を表示ユニット２０として用いることができる。
【００３９】
次に、図８および図９を参照して、本発明による光学レンズフィルムを適用した表示装置１０の構成例を説明する。
【００４０】
図８に示した表示装置１０は、バックライト１１と、当該バックライト上に配置されたＬＣＤユニット１４と、ＬＣＤユニット１４の表示面側に配置された本発明による光学レンズフィルム１とを備える。具体的には、バックライト１１の光出射面上に拡散板１２および輝度向上フィルム１３といった光学フィルムが配置されている。この光学フィルム上にＬＣＤユニット１４が配置されている。ＬＣＤユニット１４は、液晶セル１５と、当該液晶セル１５の表面および裏面のそれぞれの上に配置された位相差板１６と、それぞれの位相差板１６の外周表面上に配置された偏光板１７とを備える。液晶セル１５は、スペーサを介して対向するように配置された２枚のガラス製基板の間に液晶駆動用の薄膜トランジスタや液晶が配置された構造となっている。そして、ＬＣＤユニット１４においてバックライト１１側の面と反対側の出射面上に本発明による光学レンズフィルム１が配置されている。
【００４１】
図８に示した表示装置１０では、バックライト１１から出射した光が拡散板１２および輝度向上フィルム１３を介してＬＣＤユニット１４に裏面側から入射する。そして、ＬＣＤユニット１４において液晶セル１５内の液晶がその配向方向などを電界によって制御されることにより、ＬＣＤユニット１４の各画素の表示が制御される。その結果、所定の画像を構成する光がＬＣＤユニット１４の表面側（光学レンズフィルム１が配置された側）から出射する。そして、ＬＣＤユニット１４から光学レンズフィルム１に入射した光は、光学レンズフィルム１の作用により、当該光の進行方向が所定の方向へと変更される。
【００４２】
次に、図９を参照して、本発明による表示装置の他の例を説明する。
図９に示した表示装置１０は、基本的には、図８に示した表示装置１０と同様の構造を備えるが、光学レンズフィルム１の配置およびアクティブシャッタユニット２１を備える点が異なっている。すなわち、図９に示した表示装置１０においては、ＬＣＤユニット１４とバックライト１１との間、より具体的にはＬＣＤユニット１４と輝度向上フィルム１３との間に、光学レンズフィルム１およびアクティブシャッタユニット２１が配置されている。なお、光学レンズフィルム１におけるアライメントマーク部８が、ＬＣＤユニット１４の画像表示領域に対して平面視での外側に位置するように、光学レンズフィルム１（およびアクティブシャッタユニット２１）の平面形状を、ＬＣＤユニット１４の平面形状より大きくしてもよい。
【００４３】
ここで、アクティブシャッタユニット２１は、光学レンズフィルム１の凸部２に沿って、当該凸部２の１つ当たりにたとえば２列の帯状領域が形成され、当該帯状領域では液晶などを用いて光の透過・遮断を切り替え可能となっている光学部材である。１つの凸部２に対応する２つの帯状領域は、一方が光を透過する状態、他方が光を遮断する状態、というように一方の帯状領域のみが光を透過できる状態となっており、一定の周期で光が透過可能な帯状領域が切り替わる。
【００４４】
このようなアクティブシャッタユニット２１を用い、またＬＣＤユニット１４においても当該帯状領域に対応して液晶の画素ユニットを配置し、帯状領域の光の透過・遮断の切り替えに応じて画素ユニットでの表示を切り替えることで、たとえば３次元画像（または３次元映像）を表示することができる。アクティブシャッタユニット２１での帯状領域の光の透過・遮断の切り替えは、任意の周期で繰返すことが好ましい。この場合の繰返し周期としては、たとえば数十Ｈｚから数百Ｈｚといった周期を採用することができる。
【００４５】
このような表示装置１０では、アクティブシャッタユニット２１と光学レンズフィルム１とＬＣＤユニット１４との位置合せを極めて高い精度で行なう必要があり、本発明を適用することが特に効果的である。たとえば、図６および図７に示した表示ユニット２０と同様に、ＬＣＤユニット１４やアクティブシャッタユニット２１に表示ユニット側アライメントマーク３２（図６参照）を形成しておけば、光学レンズフィルム１をこれらの機器に対して正確に位置合せすることができる。
【００４６】
また、異なる観点から言えば、図８および図９に示したような表示装置１０は、表示面を有する表示ユニット（ＬＣユニット１４（図８参照）またはＬＣＤユニット１４およびアクティブシャッタユニット２１（図９参照））と、上記光学レンズフィルム１とを備える。光学レンズフィルム１は、表示ユニットの表示面と重なるように（図８ではＬＣＤユニット１４の画像表示面上に重なるように、また図９ではＬＣＤユニット１４とバックライト１１との間に）表示ユニットと積層されている。このようにすれば、ＬＣＤユニット１４やアクティブシャッタユニット２１などに対して高い精度で位置決めされた光学レンズフィルム１を備える表示装置１０を実現できる。このため、当該光学レンズフィルム１による視覚効果を確実に得ることができるので、表示品質の優れた表示装置１０を実現できる。
【００４７】
上記表示装置１０では、光学レンズフィルム１において、複数の光学素子構造として、図１〜図３に示すように平行して線状に延びる複数の凸部２が形成されている。図２および図３などに示すように、当該凸部２の延びる方向に対して垂直な方向における凸部２の断面形状は半円状である。複数のアライメント用構造部は、複数の凸部２と平行して線状に延びる複数のアライメント用凸部９である。表示ユニットとしてのＬＣＤユニット１４および／またはアクティブシャッタユニット２１は、光学レンズフィルム１と対向する部分に形成された表示ユニット側アライメントマーク３２（図６、図７参照）を含む。ＬＣＤユニット１４および／またはアクティブシャッタユニット２１と光学レンズフィルム１とは、表示ユニット側アライメントマーク３２と、複数のアライメント用凸部９の間の境界部３１（図７参照）およびアライメント用凸部９と凸部２との境界部のいずれかが重なるように位置決めされている。この場合、アライメントマーク部８よりサイズの小さい上記境界部を用いて光学レンズフィルム１のＬＣＤユニット１４および／またはアクティブシャッタユニット２１に対する位置決めを行なっているので、光学レンズフィルム１を高い精度で位置決めすることができる。このため、当該光学レンズフィルム１による視覚効果を確実に得ることができるので、表示品質の優れた表示装置１０を確実に実現できる。
【００４８】
次に、図１０を参照して、図１〜図３に示した光学レンズフィルムの変形例を説明する。
【００４９】
図１０を参照して、光学レンズフィルム１は、基本的には図１〜図３に示した光学レンズフィルム１と同様の構成を備えるが、アライメント用凸部９の断面形状が図１〜図３に示した光学レンズフィルム１とは異なっている。具体的には、図１０に示した光学レンズフィルム１では、アライメント用凸部９の（凸部２の延在方向に垂直な方向における）断面形状が三角形状となっている。このような構成によっても、図１〜図３に示した光学レンズフィルム１と同様の効果を得ることができる。さらに、図１０に示した光学レンズフィルム１によれば、図１〜図３に示した光学レンズフィルム１よりさらに細かな位置合せを実施できる。
【００５０】
つまり、上記光学レンズフィルム１において、図１０に示すように、アライメント用凸部９の延びる方向に対して垂直な方向におけるアライメント用凸部９の断面形状は三角形状である。この場合、アライメントマーク部８では、複数のアライメント用凸部９の間の境界部（境界線）に加えて、個々のアライメント用凸部９でも、上記三角形状の頂点に対応する位置に、線状に連なる角部が形成される。このため、上記境界部に加えて当該角部も位置決めのときの基準（たとえば、図７に示した表示ユニット側アライメントマーク３２との位置合せにおける基準）として用いることができる。このため、図１〜図３に示した光学レンズフィルム１より高い位置精度での位置決めが可能になる。
【００５１】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【産業上の利用可能性】
【００５２】
この発明は、アライメントマーク部を備える光学レンズフィルムおよび当該光学レンズフィルムを用いた表示装置に有利に適用される。
【符号の説明】
【００５３】
１  光学レンズフィルム、２  凸部、７  ベース体、８  アライメントマーク部、９  アライメント用凸部、１０  表示装置、１１  バックライト、１２  拡散板、１３  輝度向上フィルム、１４  ＬＣＤユニット、１５  液晶セル、１６  位相差板、１７  偏光板、２０  表示ユニット、２１  アクティブシャッタユニット、３１  境界部、３２  表示ユニット側アライメントマーク。
【図１】
2011186063.tif 000003
【図２】
2011186063.tif 000004
【図３】
2011186063.tif 000005
【図４】
2011186063.tif 000006
【図５】
2011186063.tif 000007
【図６】
2011186063.tif 000008
【図７】
2011186063.tif 000009
【図８】
2011186063.tif 000010
【図９】
2011186063.tif 000011
【図１０】
2011186063.tif 000012